(57)【要約】  本発明は、自宅以外の場所で衛生を促進する方法を提供する。方法は、自宅以外の場所内の共用領域および個人領域を検査することにより、自宅以外の場所からデータを収集し、そのデータを用いて、自宅以外の場所内の汚染物質を低減する実行計画を開発する。
2014531624.tif 000002
【特許請求の範囲】
【請求項１】
自宅以外の場所での衛生を促進する方法であって、前記方法が
ａ．前記自宅以外の場所の初期評価を実施して初期データを収集し、前記自宅以外の場所内の様々な場所での初期レベルを決定する手順と、
ｂ．収集したデータを評価して、前記自宅以外の場所内での特定のニーズおよび／または焦点領域を識別する手順と、
ｃ．前記自宅以外の場所についての前記特定のニーズおよび／または焦点領域に対処するための実行計画を開発する手順と、
ｄ．一定期間後に、二次データを収集するための前記試験プロトコルを繰り返すことにより前記自宅以外の場所を再評価して、前記自宅以外の場所内での第二のレベルの汚染を判断する手順と、
ｅ．前記初期データと比較して前記二次データを評価する手順と、
ｆ．前記一定期間にわたる前記様々な場所での前記汚染レベルの変化を伝えることにより、前記自宅以外の場所にフィードバックを提供する手順と
を含む方法。
【請求項２】
さらに、いくつかの異なる自宅以外の場所で前記方法を繰り返し、前記の収集したデータをデータベースに集計する手順を含む、請求項１による方法。
【請求項３】
前記自宅以外の場所からの計画外欠勤データの収集、およびデータベース内の前記計画外欠勤データの集計をさらに含む、請求項１による方法。
【請求項４】
いくつかの異なる自宅以外の場所での前記方法の繰り返し、およびデータベース内の前記収集したデータの集計をさらに含む、請求項３による方法。
【請求項５】
前記フィードバックがさらに、前記の自宅以外の場所についての計画外欠勤データに関する情報を前記データベースからの計画外欠勤データと比較することを含む、請求項４による方法。
【請求項６】
実行計画の開発が、汚染の低減に役立つ製品および前記製品を使用する方法を推奨することを含む、請求項１による方法。
【請求項７】
前記特定の製品がハンドサニタイザー、表面クリーナー、表面消毒薬、表面洗浄薬、およびティッシュペーパーを含む、請求項１０による方法。
【請求項８】
前記特定の製品がさらにハンドソープおよび使い捨てハンドタオルを含む、請求項１１による方法。
【請求項９】
前記特定の製品がさらにコンピュータキーボードクリーニング装置を含む請求項１１による方法。
【請求項１０】
前記表面クリーナー、表面消毒薬または表面洗浄薬が、染み込ませたワイプ、噴霧剤、発泡剤、または液体を含む、請求項１１による方法。
【請求項１１】
前記の表面洗浄薬または表面消毒薬が、２時間以上持続する表面洗浄を提供する、請求項１１による方法。
【請求項１２】
特定の製品がさらに空気清浄または空気消毒を含む、請求項１１による方法。
【請求項１３】
前記製品の適切な使用に関しての訓練を前記の自宅以外の場所にいる少なくとも一人の人に提供することをさらに含む、請求項１０による方法。
【請求項１４】
訓練を前記の自宅以外の場所にいる少なくとも一人の人に提供することをさらに含み、前記訓練が、少なくとも一人の人に前記二次データを収集するよう教えることを含む請求項１による方法。
【請求項１５】
前記試験プロトコルが前記試験プロトコルで訓練を受けた人により実施される、請求項１による方法。
【請求項１６】
さらに、
ａ．一定期間後に、二次データを収集するための前記試験プロトコルを繰り返すことにより前記自宅以外の場所を再評価して、前記自宅以外の場所内での第二のレベルの汚染を判断する手順と、
ｂ．前記初期データと比較して前記二次データを評価する手順と、
ｃ．前記一定期間にわたる前記様々な場所での前記汚染レベルの変化を伝えることにより、前記自宅以外の場所にフィードバックを提供する手順と
を少なくとも一回繰り返すことを含む、請求項１による方法。
【請求項１７】
前記自宅以外の場所が、オフィスビル、オフィススイート、小売店、倉庫、製造施設、学校、託児所、礼拝所、ホテル、モーテル、または会議場である、請求項１による方法。
【請求項１８】
自宅以外の場所で衛生を促進する方法であって、前記方法が
ａ．自宅以外の場所の初期調査を実施する手順であって、前記初期調査が、前記自宅以外の場所を定期的に使用する人の数の判断、自宅以外の場所のタイプの判断、作業取り決めのタイプの判断、および共通して使用される品目のタイプを含むものと、
ｂ．前記調査の前記結果を類似した情報を持つデータベースに格納されたデータと比較し、焦点領域を識別して、前記自宅以外の場所内で衛生を促進する手順と、
ｃ．前記自宅以外の場所についての前記焦点領域に対処する実行計画を開発する手順と、
ｄ．前記自宅以外の場所での前記実行計画を導入して、前記実行計画のコンプライアンスを推進する手順と
を含む方法。
【請求項１９】
前記データベース情報を前記自宅以外の場所と共有することをさらに含む、請求項１８による方法。
【発明の詳細な説明】
【技術分野】
【０００１】
本発明は一般に、自宅以外の場所で衛生および清潔さを促進する方法に関する。
【背景技術】
【０００２】
当技術では、学校、勤務場所およびこれに類するものなど、より健全な自宅以外の場所を促進するための適切な手指衛生を促進する必要性があることが認識されてきた。当技術では、自宅以外のある場所に存在する人の組織内の一人の人による貧弱な手指衛生が、その組織に属するその他の人々に悪影響を及ぼし得ることが一般に受け入れられている。その結果、適切な手指衛生の実施を促進するキャンペーンや随伴する印刷物がこれまでにあった。こうした随伴する印刷物の例には、英国の患者安全機関が促進した「Ｃｌｅａｎｙｏｕｒｈａｎｄｓ」キャンペーンのための「Ｒｅａｄｙ、Ｓｔｅａｄｙ、Ｇｏ！」プログラムガイドが含まれる。さらに、「施設での効果的な手指衛生実施のための方法」と題する米国特許出願公報第２００６／０２７７０６５号が公表された。このプログラムおよび特許は、手指衛生のみを対象とするものであり、その他の潜在的な汚染源や、表面上で見つかる汚染などそれらの汚染源を軽減する方法については対処していない。
【０００３】
ウイルスおよびバクテリアなどの一部の汚染物質は、一般に人の眼には見えない。したがって、人にとって自分の手がバクテリアまたはウイルスに汚染しているかどうかを知ることは困難である。手を洗う、および／または衛生的にするという推奨事項に従っている人は、汚染している表面や物体に触れるとき、自分の手が汚染物で汚染されるリスクを負っている。その結果、手を洗うことおよび／または衛生化すること自体は、ウイルスやバクテリアをある人から別の人へ伝染することの阻止において完全には効果的ではない。
【０００４】
汚染物質は、ある人の手から別の人の手または表面に伝達しうる。同様に、汚染物質は、ある表面から人の皮膚、一般には人の手に伝染しうる。したがって、手洗いおよび手指衛生は、ある人の手から別の人または表面への汚染のみを阻止する。ところが、手指衛生は、人が表面を触ったときの人の手の汚染は阻止または低減しない。
【０００５】
当技術には、自宅以外の場所で、単に組織内での人の手を洗うことおよび衛生化することを超える衛生および清潔さを促進するシステムまたは方法に対するニーズがある。要素として手を洗うことおよび衛生化することが網羅されている必要があるが、自宅以外の場所にありうる表面、物体およびその他の潜在的汚染源など、その他の関心領域に対処する必要がある。
【発明の概要】
【０００６】
総括すれば、本発明は、自宅以外の場所での衛生を促進する総合的かつ体系的なアプローチである方法を提供する。
【０００７】
本発明の一つの実施形態では、本発明は、自宅以外の場所での衛生を促進する方法を提供する。方法は以下の手順を含む。
ａ．試験プロトコルを使用して自宅以外の場所の初期評価を実施して初期データを収取し、自宅以外の場所内の様々な場所での初期レベルを決定する手順
ｂ．収集したデータを評価して、自宅以外の場所内での特定のニーズおよび／または焦点領域を識別する手順
ｃ．自宅以外の場所についての特定のニーズおよび／または焦点領域に対処するための実行計画を開発する手順
ｄ．一定期間後に、二次データを収集するための試験プロトコルを繰り返すことにより自宅以外の場所を再評価して、自宅以外の場所内での第二のレベルの汚染を判断する手順
ｅ．初期データと比較して二次データを評価する手順、および
ｆ．一定期間にわたる様々な場所での汚染レベルの変化を伝えることにより、自宅以外の場所にフィードバックを提供する手順
【０００８】
本発明のさらなる実施形態では、方法は、いくつかの異なる自宅以外の場所で評価プロトコルを繰り返すこと、および収集したデータをデータベースに収集することを含みうる。収集されたデータは、所定の自宅以外の場所について、何が功を奏し、また功を奏しないかに関する情報を含みうる。
【０００９】
本発明の方法はまた、自宅以外の場所からの情報の収集が関与する。こうしたデータ収集は、自宅以外の場所からの計画外欠勤データに関する情報、およびデータベース内の計画外欠勤データの集計を含みうる。
【００１０】
本発明のさらなる実施形態では、自宅以外の場所に提供されるフィードバックは、所定の自宅以外の場所での計画外欠勤データと比較した類似した状況にある自宅以外の場所からの計画外欠勤データを含みうる。
【００１１】
本発明の別の態様では、実行計画は、従業員またはユーザーの自宅以外の場所内での実行計画のコンプライアンスを推進するよう動機付けるための一つ以上手段を含みうる。適切な従業員またはユーザーの動機付け手段は、コンプライアンスおよび／または肯定的な結果についてのポスター、電子メール、ビデオ、調査、フィードバック／進捗状況カード、コンテスト、賞、およびその組み合わせを含みうる。
【００１２】
本発明のさらなる実施形態では、実行計画は、一般に汚染の低減に役立てるための特定の製品およびその製品の使用方法の推奨を含む。適切な製品は、少なくとも、ハンドサニタイザー、表面クリーナー、表面洗浄薬、表面消毒薬またはティッシュペーパーまたはその組み合わせを含む。実行計画で使用しうる追加的な製品は、ハンドソープ、ハンドクリーナー、使い捨てハンドタオル、コンピュータキーボードクリーニング装置、噴霧剤または空気清浄製品を含めた空気消毒製品、またはその組み合わせを含む。一般に、表面クリーナー、表面洗浄薬または表面消毒薬は、染み込ませたワイプ、噴霧剤、発泡剤、または液体の形態としうる。さらなる特定の実施形態では、表面洗浄薬または表面消毒薬は、２時間以上持続する表面洗浄または消毒を提供しうる。
【００１３】
本発明の方法は、さらなる実施形態では、自宅以外の場所を再評価する前の一定期間にわたり、実行計画の導入の支援を自宅以外の場所に提供することも含みうる。典型的な支援には、自宅以外の場所内での実行計画のコンプライアンスを推進するよう人々を関与させる動機付け手段を従業員またはユーザーに提供することが含まれる。
【００１４】
本発明のさらなる実施形態では、方法は、さらに自宅以外の場所の少なくとも一人の人に訓練を提供しうることができ、この訓練には、二次データを収集するよう少なくとも一人の人を指導することを含む。
【００１５】
本発明の追加的態様では、試験プロトコルは、試験プロトコルで訓練を受けた人により実施される。試験プロトコルを実施する人は、防護服を着用することができ、また試験プロトコルは、自宅以外の場所の通常の営業時間中に実施される。
【００１６】
本発明のさらなる実施形態では、検査は、通常に自宅以外の場所の清掃に責任を持つ清掃員と共に実施しうる。代替的に、収集したデータを清掃員と共有しうる。清掃員が関与するさらなる実施形態では、清掃員は、特定のニーズおよび／または焦点領域に対処する第二の実行計画を提供されうる。
【００１７】
本発明のさらなる態様では、以下の手順が少なくとも一回は繰り返される。
ｄ）一定期間後に、二次データを収集するための試験プロトコルを繰り返すことにより自宅以外の場所を再評価して、自宅以外の場所内での第二のレベルの汚染を判断する手順
ｅ）初期データと比較して二次データを評価する手順、および
ｆ）一定期間にわたる様々な場所での汚染レベルの変化を伝えることにより、自宅以外の場所にフィードバックを提供する手順
【００１８】
本発明の別の実施形態では、自宅以外の場所で衛生を促進する方法が提供されている。この実施形態の方法は、以下の手順を持つ。
ａ．自宅以外の場所の初期調査を実施する手順であって、この初期調査は、自宅以外の場所を定期的に使用している人数の判断、自宅以外の場所のタイプの判断、作業取り決めのタイプの判断、および共通して使用される品目のタイプを含むもの
ｂ．調査の結果を類似した情報を持つデータベースに格納されたデータと比較し、焦点領域を識別して、自宅以外の場所内の衛生を促進する手順
ｃ．自宅以外の場所についての焦点領域に対処する実行計画を開発する手順
ｄ．自宅以外の場所での実行計画を導入して、実行計画のコンプライアンスを推進する手順
【００１９】
本発明の別の実施形態では、自宅以外の場所で衛生を促進する方法が提供されている。この実施形態の方法は、以下の手順を持つ。
ａ．自宅以外の場所の初期調査を実施する手順であって、この初期調査は、自宅以外の場所を定期的に使用している人数の判断、自宅以外の場所のタイプの判断、作業取り決めのタイプの判断、および共通して使用される品目のタイプを含むもの
ｂ．調査の結果を類似した情報を持つデータベースに格納されたデータと比較し、焦点領域を識別して、自宅以外の場所内の衛生を促進し、比較したデータを自宅以外の場所と共有する手順
ｃ．自宅以外の場所についての焦点領域に対処する実行計画を開発する手順
ｄ．自宅以外の場所での実行計画を導入して、実行計画のコンプライアンスを推進する手順
【００２０】
本発明の方法を提供することにより、従来的な手洗いキャンペーンの欠点や短所は回避され、最小化される。
【図面の簡単な説明】
【００２１】
【図１】図１は、本発明の一実施形態を図示するブロック図を示す。
【図２】図２Ａおよび２Ｂは、本発明の細菌マップを示す。
【図３】図３は、本発明の代替的な実施形態のブロック図を示す。
【００２２】
本開示において使用されるとき、用語「ｃｏｍｐｒｉｓｅｓ」、「ｃｏｍｐｒｉｓｉｎｇ」および根底となる用語「ｃｏｍｐｒｉｓｅ」からのその他の派生語は、明記された任意の特徴、要素、整数、手順、または成分の存在を特定する非限定（ｏｐｅｎ−ｅｎｄｅｄ）の用語であることが意図され、その他の一つ以上の特徴、要素、整数、手順、成分、またはそのグループの存在または追加を除外するよう意図されていないことに注目すべきである。
【００２３】
本書で使用するとき、用語「自宅以外の場所」は、様々な理由または目的から人々が集まる典型的な家の外部の場所または位置を意味する。自宅以外の事業の場所の例には、オフィスビル、オフィススイート、小売店、倉庫、製造施設、学校、託児所、礼拝所、ホテルおよびモーテル、会議場、およびこれに類するものが含まれるが、これに限定されない。
【００２４】
本書で使用するとき、用語「共用領域」は、一般に自宅以外の場所内で複数の人により立入り可能な領域を意味する。オフィスの場合の例は、エレベータ、通路、休憩室、コピー室、洗面所、教室、ロビーおよびこれに類するものである。
【００２５】
本書で使用するとき、用語「汚染」は、ウイルス、バクテリア、カビ、アレルゲンおよび／またはヒトが病気になる原因となりうるその他の類似した物質の存在を意味することが意図される。
【００２６】
本書で使用するとき、用語「クリーナー」は、表面から汚れおよび／またはごみくずを除去する助けとなる物質を意味する。
【００２７】
本書で使用するとき、用語「消毒手段」は、そのラベルにリストされている全ての生物体を本質的に完全に除去する物質を意味する。これらの生物体は、バクテリアには限定されず、ウイルスおよび菌類を含みうる。この用語は、一般に米国環境保護庁により規制されている物質を意味する。
【００２８】
本書で使用するとき、用語「消毒薬」は、概してほとんどの生物体、一般にバクテリアを殺す物質を意味する。消毒薬が効果的となるのに、１００％の生物体を殺したり除去する必要はない。この用語は、一般に米国環境保護庁により規制されている物質を意味する。
【発明を実施するための形態】
【００２９】
一般的にいえば、本発明は、自宅以外の場所での衛生を促進するための総合的および系統的なアプローチに関連する。本発明は、自宅以外の場所での汚染物質源に対する多面的な処置を持つ方法を提供し、これが結果的に、より清潔でより健全な自宅以外の場所につながる。より清潔でより健全な自宅以外の場所を提供することで、自宅以外の場所で、人または人々によってある場所から別の場所へ、および／またはある人から別の人へと伝達される汚染物質の全体的な可能性は大幅に低減される。本発明の方法を一般的な方法として採用すると、自宅以外の場所内の人々は、自宅以外の場所にいることによって病気になる可能性が低下することがこれまでに分かっている。その結果、本発明の方法を採用した自宅以外の場所内にいる人々が、汚染物質を自宅以外の場所から自宅の家族に持ち帰る可能性は低い。
【００３０】
本発明の方法は、自宅以外の場所での衛生を促進する方法を提供する。方法は、自宅以外の場所を効果的に支援し、および自宅以外の場所内にいる人々が衛生の改善を促進する実行計画を理解し導入するための、互いに関連して使用されるいくつかの異なる手順を有する。本発明の方法の一つ以上の手順または部分を除去すると、自宅以外の場所での衛生促進の有効性が低減しうる。本発明の方法をより良く理解するために、方法は以下の手順を含むプロセスに分かれる：
ａ．試験プロトコルを使用して自宅以外の場所の初期評価を実施して初期データを収取し、自宅以外の場所内の様々な場所での初期レベルを決定する手順
ｂ．収集したデータを評価して、自宅以外の場所内での特定のニーズおよび／または焦点領域を識別する手順
ｃ．自宅以外の場所についての特定のニーズおよび／または焦点領域に対処するための実行計画を開発する手順
ｄ．一定期間後に、二次データを収集するための試験プロトコルを繰り返すことにより自宅以外の場所を再評価して、自宅以外の場所内での第二のレベルの汚染を判断する手順
ｅ．初期データと比較して二次データを評価する手順、および
ｆ．一定期間にわたる様々な場所での汚染レベルの変化を伝えることにより、自宅以外の場所にフィードバックを提供する手順
【００３１】
任意の自宅以外の場所での最大の問題は、汚染物質、特にバクテリアおよびウイルスが一般に肉眼では見えないことである。一般に、ヒトの感覚は一般に視覚が中心であることから、見ることができない品目には見えない危険が潜んでいるかもしれないことに関して、表面から何らかの視覚的な情報を受け取ることがないため、一般に人々によって無視される。つまり、人は、危険が潜んでいるかもしれないことを理解するために必要なフィードバックを受け取らない。表面または品目は、人の眼には清潔に見えて、汚れや不潔さのないことを意味することがあっても、人の眼には見えないバクテリアおよび／またはウイルスがたくさん存在する可能性がある。これは、自宅以外の場所について、自宅以外の場所を利用する人々が、表面上にある潜在的な汚染物質に気が付かないという点での問題を提起する。多くの場合、自宅以外の場所を通過する、または自宅以外の場所にある品目を使用するのに、自宅以外の場所内にいる人々が表面を触れる必要がある。自宅以外の場所内にいる人々が一般に触れる表面および品目の例には、ドアハンドル、ドア、階段手すり、エスカレータのレール、電灯のスイッチ、エレベータボタン、オフィス機器（コピー機キーボード、コンピュータ、コンピュータモニター、プリンターおよび電話など）、自動販売機、蛇口、飲料ディスペンサー（コーヒーポットなど）、卓上の表面、会議室テーブル、椅子、鉛筆、ペン、飛行機の座席ベルト、飛行機の座席トレーおよび自宅以外の場所内で一般に見られるその他の類似した品目が含まれる。
【００３２】
本発明をより良く理解するために、図１を注目願いたいが、これは本明細書の方法の模範的な実施形態についてのフローチャートを示す。
【００３３】
図１に示すとおり、本発明の方法１０は、ａ）自宅以外の場所の初期評価を実施する第一の手順１００を有する。初期評価には、試験プロトコルを使用して初期データを収集することも含まれる。収集された初期データは、ほとんどの生きた生物体によって生成される化学物質である、アデノシン三リン酸（ＡＴＰ）の検出によって測定しうる汚染の実際の測定を含みうる。表面上に存在するＡＴＰの量は、微生物汚染の尺度として広く受け入れられている。北米全体において、保健関連当局および食品業務検査官はＡＴＰ読取値を使用することがよくある。そのため、ＡＴＰ読取値はそれらは施設別およびその日ごとに重みづけができる定量化できる結果を提供するため、一般に信頼されている。読取値が高いほど、存在する有機残留物の量が多く、それは汚染の可能性が高いことを意味する。ほとんどの生き物はＡＴＰを生成するため、生成された数は、無害および潜在的に有害な物質の両方の存在を示すものと考えられる。一般に、ヘルスケア以外および食品処理以外の環境では、ＡＴＰ読取値が０〜１００の範囲であれば、安全と考えられる。ＡＴＰ読取値が１０１〜３００の範囲であれば、消毒を必要とするある程度の汚染を含むものと一般に考えられる。読取値が３００を超える場合は汚染されていると考えられ、直ちに消毒する必要がある。ＡＴＰ読取値は、ＨＹＧＩＥＮＩＡ（Ｃａｍａｒｉｌｌｏ，  ＣＡ   ９３０１２に事務所を持つ）から入手可能なものなど、市販のＡＴＰメーターにより実施できる。上記の範囲はＨＹＧＩＥＮＩＡ  ＡＴＰメーターに固有のものであり、業界の較正標準はないため、異なる製造元のメーターは、異なる範囲を持ちうることが注記される。また範囲は、自宅以外の場所のタイプに応じて、許容性のために上下に調節できることが注記される。例えば、食品処理の施設では、容認できる読取値の上限の読取値は、５０以下の上限を持ちうる。一部の食品処理施設では、ＨＹＧＩＥＮＩＡ  ＡＴＰメーターを使用したＡＴＰ読取値上限が３０ほどに低いこともある。
【００３４】
ＡＴＰ読取値は、自宅以外の場所内の様々な場所で取られる。一般に、ＡＴＰ読取値は、自宅以外の場所内の共用領域と、オフィス、キュービクル、および貯蔵室、機械室およびこれに類するものなどの制限領域といった半共有領域の両方で取られる。一般に、ＡＴＰ検査は、潜在的な例として、デスクトップ、コンピュータキーボード、コンピュータマウス、電話、流し台、冷蔵庫の取っ手、電子レンジのタッチパッド／スクリーンおよびハンドル、カウンタートップ、コピー機キーパッド／スクリーン、自動販売機などの、自宅以外の場所の周辺などの表面についてのものである。これらの表面は、例としてリストされるものであり、このリストが検査されうる表面をすべて網羅したものとして意図されるものではないことが注記される。一般に、共用領域でのＡＴＰ読取値が取られ、選択された少数またはあるパーセントの半共有領域が検査される。例えば、半共有領域のうち５〜２５％が検査されうる。より高いパーセントの半共有領域が検査されうることが注記される。実際に、すべての共用領域およびすべての半共有領域が検査されうる。
【００３５】
ＡＴＰ読取値を取ることに加えて、ウイルスを検出するためにさらなる検査を実施することができる。この出願の提出時点で、ウイルスを検出する方法は、一般により複雑で、また一般に処理に長い時間がかかる（ＡＴＰ検査での分単位に対して日単位）。数分で読取値を提示するウイルスを検出する新しい方法が開発されれば、発明者は、それらの方法を本発明で使用しうることを期待する。
【００３６】
ＡＴＰ読取値およびこれに類するものを取ることの利点は、これらの読取値が、自宅以外の場所の人々が汚染物質の存在を「確認」できる実際の物理的証拠（読取値自体）を提供することである。上述のとおり、ある人にとって視覚的に清潔であると見える表面について、その人は汚染がないと推定することがよくある。ある人にとって、その人の観察に基づいて危険とは見えないときに危険が存在すると信じることは往々にして困難である。読取値を証拠として、自宅以外の場所内にいる人々に対して、自宅以外の場所に存在しうる危険や不衛生的な状態を低減するために修正措置が必要なことを受け入れる必要のある証拠が提供される。
【００３７】
バクテリアまたはウイルスの存在を判断することに加えて、試験プロトコルはまた、自宅以外の場所内にいる人々の挙動の観察も含むことがある。これらの観察は、食前の挙動、洗面所使用後の手洗い習慣に関する挙動、および自宅以外の場所内でのコピー機、プリンター、コーヒーステーション、自動販売機およびこれに類するものなどの共有品目の使用に関する挙動を含みうる。例えば、洗面所を使用した後、食べる前、または自宅以外の場所内の共有品目を使用した後で、何パーセントの人が手を洗うかを判断するために、観察を使用しうる。さらに、観察は対処の必要があると考えられるホットスポットを特定する上での助けとなりうる。
【００３８】
初期データは、数時間以内に、数日間にわたり、または数週間にわたり収集しうる。データは、清掃員が自宅以外の場所を清掃する前に、および／または清掃員が自宅以外の場所を清掃した後に、収集しうる。データは、一日の異なる時間、例えば、朝、真昼、または夕方には収集しうる。データは、一般に２、３日の期間にわたり収集され、より一般的に使用される品目の表面については、複数回収集される。一般に、複数の読取値の平均が比較に使用される。ただし、一般には、自宅以外の場所内にいる人々に対して最も高いリスクを持つ最も高い読取値が報告されることもある。汚染レベルについての真の実態を得るために、初期データは、一般に短期間、一般には約数時間から２、３日〜１週間にわたり収集される。初期データは、将来的な試験との比較をするベースラインとしての役目をする。さらに、初期データは、自宅以外の場所における特定のニーズおよび焦点領域の特定に役立つ。
【００３９】
試験プロトコルは、特定タイプの自宅以外の場所について調節しうる。例えば、オフィスビルまたはオフィススイートについての試験プロトコルは、共用領域、共用される機器または一般に接触のある表面に対して主な焦点を当てうる。共用領域はまた、人々がよく訪れたり集まる休憩室および会議室などの領域を含みうる。代替的に、オフィスおよびキュービクルなど、オフィスビルまたはオフィススイートでの半共有領域に焦点が置かれうる。半共有領域における汚染の伝達を阻止することで、実際に、共用領域における汚染が減少しうることが発見されているが、これは半共有領域における汚染の効果的な処置が、汚染が共用領域に伝達される能力を低減させるためである。例えば、半共有領域にいる一人の人が汚染を持っていて、かつ下記で考察する本発明の実行計画に効果的に従っていない場合、この一人の人は共用領域を効果的に再汚染し、自宅以外の場所にいる他者が汚染をまたその半共有領域に持ち込むことが可能となる。したがって、最も注意を要する半共有領域の特定が、伝染の連鎖を断ち切るにあたってより効果的でありうる。一般に、すべてではないがほとんどの共用領域および一般に接触される表面は検査され、また半共有領域は無作為に検査されるか、または集中的に検査されうる。例えば、共用領域により頻繁に訪れる人については、その人の半共有領域が検査のために選択される。一方、学校の教室では、共有された機器および机の表面に注意が向けられる。いずれにせよ、初期検査の目的は、将来的な試験が比較されるベースラインデータを得ることである。
【００４０】
一般に、収集されたデータには以下の情報が含まれうる：
ａ．自宅以外の場所の名称
ｂ．自宅以外の場所のタイプ
ｃ．自宅以外の場所に日常的に一般に存在する人の数
ｄ．日付、検査の時間枠、曜日、月
ｅ．温度、湿度、外部の天候
ｆ．自宅以外の場所内の位置
ｇ．検査対象品目
ｈ．検査対象品目の表面の場所
ｉ．実際の読取時刻
ｊ．試験読取値、および
ｋ．自宅以外の場所内で人々が使用できるようにされたフロアの表面、洗面所設備のタイプ（自動／非自動）、および手乾燥装置のタイプなど、自宅以外の場所に関するその他の追加的な一般的情報
【００４１】
図１に戻って参照するが、いったん初期データが収集されると、プロセスの次の手順は、初期データ１２０の評価である。初期データは、自宅以外の場所内での特定のニーズおよび焦点領域を特定するために評価される。収集されたデータに基づき、特定タイプの製品およびそれらの製品の配置が決定される。さらに、収集されたデータは、後日に比較の目的で取り出せるように、データベース内で集計されうるが、これについては下記により詳しく考察する。
【００４２】
本発明のこの実施形態では、次の手順１３０は、自宅以外の場所で導入する実行計画を開発することである。実行計画には、一般に、ある人から別の人へ、ある表面から別の表面へ、人から表面へ、または表面から人への汚染物の伝達の低減に役立ちうる、自宅以外の場所で使用される一定の製品の使用を推奨することが含まれる。製品には、一般に、ユーザーの手を介した汚染物質の移動の低減を助ける、ハンドサニタイザー、表面消毒薬および表面洗浄薬の両方が含まれる。実行計画には、ティッシュペーパー、石鹸、ペーパータオル、キーボードクリーナー、ドアハンドル清浄薬、エアフィルタ、空気消毒スプレー、卓上小物入れ、製品を保持する壁ブラケット、集中型の手／表面衛生ステーションおよびその他の類似した製品など、その他の製品が含まれうる。実行計画はまた、これらの製品の配置について、製品の使用の促進を助け、また推奨される製品をその製品が特定されたホットスポットで使用するために簡単に使用可能なようにある位置に置く提案を提供する。
【００４３】
ハンドサニタイザーは、ジェル、発泡剤または液体の形態とすることができる。一般に、ジェルおよびフォームが一般に水平面に置かれたビンなどの容器から供給される。代替的に、ハンドサニタイザーは、ディスペンサーから供給されうる。ディスペンサーは、壁取り付け式のディスペンサー、または自立式のフロアユニット付きの、またはディスペンサーを保持するよう適応された自立式の台座に取り付けられたディスペンサーの形態としうる。手を使わないディスペンサーは、ユーザーは、ディスペンサーに触れる必要がないため、ハンドサニタイザーの供給にとって非常に効果的である。ハンドサニタイザーは、一般にハンドサニタイザーが一般的に必要とされる場所に提供されうる。代替的に、ハンドサニタイザーは、染み込ませたワイプの形態で提供されうる。例えば、ハンドサニタイザーは、洗面所の出口、または洗面所の外、食品が取り扱われうる休憩室内またはその付近、カフェテリア内またはその付近、またはその他の類似した食品供給エリア、会議室内、教室内および自宅以外の場所で一般に見られるその他の共用領域に配置することができる。さらに、自宅以外の場所での各作業ステーションには、各作業ステーションで簡単に使用可能でありうる個人用のボトルまたはハンドサニタイザーのディスペンサーが提供されうる。
【００４４】
表面クリーナー、消毒薬および／または洗浄薬は、染み込ませたワイプ、噴霧剤、発泡剤、または液体の形態としうる。染み込ませたワイプは、供給用の金属容器、壁ユニット、自立式のフロアユニット内に、または染み込ませたワイプの金属容器またはディスペンサーを保持するよう適応された自立式の台座から提供しうる。一般に、金属容器またはディスペンサーは、一度に単一のワイプを供給するよう適応される。代替的に、表面洗浄薬は、噴霧剤、液体、または発泡剤の形態としうる。噴霧剤により、表面洗浄薬は、細かい流体の小滴の噴霧で供給されることが意図される。対照的に、液体は、噴霧剤または発泡剤ではない流体を意味することが意図される。表面洗浄薬が液体、発泡剤または噴霧剤として提供される場合、ユーザーが衛生化する表面上に表面洗浄薬を効果的に拡散できるよう、ペーパータオルなど、何らかの種類のふき取り用品が付近に提供される。要求はされないが、表面洗浄薬は、いったん表面が衛生化されると表面洗浄薬がある一定期間表面を活発に消毒し続ける長時間の効果を持つべきであることが好ましい。模範的な期間は、少なくとも１時間である。より長い期間、例えば２時間、４時間、８時間、または２４時間、またはこれらの模範的な期間の間における任意の長さの期間が、好都合であると考えられる。もちろん、表面洗浄薬の持続時間が長いほどよい。一般に、表面洗浄薬は、自宅以外の場所内にいる人々が一般的に表面に触れたり、または相互作用するような自宅以外の場所内の位置に適用される。一般に、表面洗浄薬は、コピー室、洗面所、休憩室、会議室、教室およびその他の類似した場所などの共用領域内に提供される。さらに、表面洗浄薬は、個別の作業ステーションに提供されうる。
【００４５】
一般に製品バンドルに含められる別の製品は、ティッシュペーパーである。ティッシュペーパーは、自宅以外の場所で人が汚染物質の伝染を効果的に阻止する方法を提供する。人が風邪またはその他の類似した呼吸器疾患にかかったとき、ティッシュペーパーは、眼、鼻および口からの排泄物の管理に効果的である。どんなティッシュペーパーも効果的であるが、ＫＬＥＥＮＥＸブランドの抗ウイルス性ティッシュペーパー（Ｋｉｍｂｅｒｌｙ−Ｃｌａｒｋ  Ｇｌｏｂａｌ  Ｓａｌｅｓ，  ＬＬＣから市販）などの抗ウイルス性の特性を持つティッシュペーパーが、有利に使用されうる。ティッシュペーパーは、一般に供給用の箱から供給されるが、壁ユニットから、またはティッシュペーパーの箱を保持するよう適応された自立式の台座から供給されうる。一般に、ティッシュペーパーは、コピー室、休憩室、会議室、教室、洗面所、およびその他の類似した場所などの共用領域で提供される。さらに、ティッシュペーパーは、個別の作業ステーションで提供されうる。
【００４６】
推奨される製品はまた、特定の場所で併用する製品を含みうる。こうした製品の例には、ハンドソープおよび使い捨てペーパータオルを含む、洗面所または休憩室で使用される製品が含まれる。自宅以外の場所内の人々にハンドソープを提供することで、ユーザーが汚れやその他の汚染物質をユーザーの手から除去する方法を提供する。ハンドサニタイザーは、ハンドサニタイザーのユーザーの手を衛生化するが、ハンドサニタイザーは一般に汚れやその他の微粒子タイプの汚染物質をユーザーの手から除去するには有用ではないことが注目される。さらに、ペーパータオルは、ユーザーの手を乾燥させ、さらに清潔にするために有利に使用されてきた。ウエストミンスター大学の研究「３通りの異なる手の乾燥方法の比較研究：ペーパータオル、温風ドライヤーおよびジェットエアードライヤー」（Ｋｅｉｔｈ  Ｒｅｄｗａｙ著、ＳｈａｍｅｅｍＦａｗｄａｒ、２００８年１１月）は、ハンドタオルは、強制空気式ドライヤーよりも、ユーザーの手からバクテリアを除去する点で効果があることを証明した。ユーザーが洗面所の表面に触れる必要がないように、ハンドソープおよびペーパータオルの両方を手を使わないディスペンサーから供給することがさらに有利である。ハンズフリーディスペンサー（電子ディスペンサーとしても知られる）は当技術で周知である。さらに、水栓の場合に、ユーザーが検知されたときに、またはユーザーが一般的な洗面所で見られる便器またはその他の類似した衛生器具から離れるときに、必要な水を設備に自動的に供給するハンズフリーの便器および水栓など、洗面所に追加的な特徴を提供することは価値がある。
【００４７】
別の表面汚染源は、別のオフィス機器であるコンピュータ用のキーボードである。製品で推奨されうる別の製品は、キーボードクリーナーである。表面洗浄薬をキーボードの衛生化に使用することもできるが、表面洗浄薬はキーボードのキー上にある文字に対して有害な影響を持ちうる。したがって、より刺激の低い消毒薬が好ましいかもしれない。さらに、キーボードの掃除は、キーの間を掃除することが困難なことがある。その結果、米国特許第Ｄ５９８６６７号および／または米国特許第Ｄ５９１１６７号に示すものなどの特殊キーボードクリーナー装置があり、これを参照し本書に組み込む。
【００４８】
さらなる汚染源は空気中に浮遊する。また、実行計画は、自宅以外の場所内の空気をフィルタリングするために使用されるエアフィルタなどの製品をも含みうることが意図されている。適切な任意のフィルター材料を使用しうるが、細菌の捕獲に効果的なフィルター材料がより効果的である。さらに、空気中に浮遊する汚染物質を低減に役立てるために、噴霧剤消毒も使用されうる。
【００４９】
上述のとおり、推奨される製品には、特定の用途および提案される使用場所がある。自宅以外の場所内の衛生を促進するために使用される製品を持つ上で鍵となるのは、その製品が自宅以外の場所内にいる人々にとって簡単に利用できるようにすることである。製品は、製品が使用できることを注意喚起するよう、自宅以外の場所内にいる人々によく見えるように提供されるべきである。製品は、意図される使用場所のごく近くに配置すべきである。こうした製品が自宅以外の場所内の衛生の促進に役立ちうるとき、自宅以外の場所内に、上記に特に言及していないその他の類似した製品および類似した場所に製品を提供できることが意図されている。
【００５０】
実行計画の別の態様は、オプションではあるが、自宅以外の場所内の人々に、自宅以外の場所内の汚染物質による目に見えない潜在的な危険について知らせることである。潜在的な脅威についての情報の共有および認識は、自宅以外の場所内にいる人々が、初期評価および二次的な評価中のデータ収集を活発に観察できるようにして達成しうる。追加的な効果として、検査は、カバーオール、実験用白衣、フェースマスクおよび手袋などの防護服を着用した人によって完了しうる。自宅以外の場所内にいる人々が検査を観察できるようにすることで、自分たちにとってその重要性や汚染物質の危険を理解することが健康につながりうるという、精神的な利益を提供できる。情報は、自宅以外の場所内の汚染についての関心領域またはホットスポットを認識できるよう、収集されたデータを自宅以外の場所内の人々と共有することでさらに提供できる。データ共有は、データコレクターとの口頭での対話、視覚的プレゼンテーション、電子メール、メモ、個別フィードバックカード、報告書およびこれに類するものなど、任意の適切な手段により達成できる。自宅以外の場所内の人々と共有される情報と共に、自宅以外の場所内の人々にとって汚染物質が原因となりうる危険についての教育も提供されうる。情報は、自宅以外の場所内にいるすべての人々に対して、または自宅以外の場所内にいる選択された人々に提供されうる。情報および教育は、全員ではないが自宅以外の場所内にいるほとんどの人々に提供されることが好ましい。この情報および教育を提供することにより、自宅以外の場所内にいる人々は、自宅以外の場所の全体的な衛生について、および自宅以外の場所にいる人々にとっての汚染物質が原因となりうる危険について、敏感になる。
【００５１】
実行計画はまた、自宅以外の場所にいる少なくとも一人の人に提供することを含みうる。自宅以外の場所の規模により、訓練が導入される方法および訓練を受ける人数が決定される。教育／訓練は、自宅以外の場所にいるすべての人に提供することができ、また、自宅以外の場所で他者に製品を使用するよう教える選択したグループの個人に教育を提供することもできる。例えば、小規模のオフィスでは全員が訓練を受けうるが、それに対して、大規模な企業では一定の人のみが訓練をうけ、それらの人々が自宅以外の場所内にいるその他の人々に教育および訓練を提供する。教育または訓練には、実行計画にある使用が推奨製品の適切な使用について、その製品を使用する場所と時、使用する頻度、およびその製品の適切な使用により汚染の低減を助けることで自宅以外の場所での衛生がどのように促進されるかについて、などが含まれうる。さらに、教育は、自宅以外の場所が位置する地域内での、例えばインフルエンザ発生など、病気の発生または潜在的な発生に関する病気発生警報を提供することにより提供しうる。教育は、製品資料、教室での訓練、実地訓練、ウェブベースの訓練および発生警報によって提供されうる。さらに、訓練は、自宅以外の場所にいる人が試験プロトコルの下でデータの収集ができるように提供されうる。
【００５２】
実行計画の別の態様は、従業員またはユーザーに、実行計画の一部として供給された製品の使用を効果的に促進する動機付け手段を提供することである。動機付け手段を提供することにより、実行計画を導入する従業員またはユーザーの全体的パーセント値を改善する可能性は一般に増大する。このようにして、自宅以外の場所内での実行計画とのコンプライアンスは高まるはずであり、本発明の方法の全面的な利益が実現されうる。適切な動機付け手段の例としては、例えば、電子メール、ビデオ、調査、コンテスト、コンプライアンスおよび／または従業員またはユーザーの関与に対する賞、およびその組み合わせが含まれる。一般に、従業員またはユーザーの取組手段の目的は、実行計画によるコンプライアンスの推進である。動機付け手段は、自宅以外の場所の権限および／またはリスクレベルに適合したものでありうる。例えば、オフィス環境では、一般に病院や医務室よりもリスクが低い。一般に、高めのリスクを持つ自宅以外の場所は、ヘルスケア施設、食品加工施設およびこれに類するものを含む。さらに、オフィスは、衛生コンプライアンスを行使するにあたって、厳しい規制の対象である食品加工施設などの他の施設よりもわずかな権限しか持たない。本発明の実行計画の一部として、動機付け手段は、特定の自宅以外の場所のニーズに応じて変更されうる。
【００５３】
適切な電子メールおよびビデオは、製品の使用方法に関する情報、製品の利点、試験プロトコルからの結果、自宅以外の場所での衛生から得られた改善、現時点で製品を使用している従業員またはユーザーのパーセント、地域的な病気発生の情報またはその組み合わせを含む。一般に、電子メールまたはビデオは、自宅以外の場所の何らかの人物から送信されうるが、一般には、電子メールまたはビデオが会社のＣＥＯまたは社長といった権限のある人から送信されればさらによい。代替的に、電子メールまたはビデオは、実行計画の導入に責任を持つ自宅以外の場所内で指定された人から送信されうる。自宅以外の場所が、ビルのある階内のいくつかの異なる領域を網羅するほど大きく、異なる階または異なるビルに位置する従業員またはユーザーを持つ場合は、電子メールまたはビデオは、試験プロトコルまたはその後の試験の結果を報告したり、異なる領域を互いに比較することもできる。その結果、個人的なプライド意識が関与することがあるため、実行計画のコンプライアンスは、一般に結果が最も芳しくない領域で改善される。同様に、最も優秀な結果を持つ領域では、引き続きリーダーであることを努力し、それによってそれらの領域での実行計画のコンプライアンスも同様に維持される。
【００５４】
特定の製品の使用に関する従業員またはユーザーの調査も、従業員またはユーザーを実行計画の実際のコンプライアンスに関与させるために使用しうる。調査は、自宅以外の場所内の従業員またはユーザーにとって、実行計画についてのフィードバックを提供する方法として、また従業員またはユーザーが、実行計画を導入する従業員またはユーザーの動機を改善するために実行計画に対する改善または変化を提案する方法として使用しうる。調査では、自宅以外の場所での衛生をさらに改善するためにユーザーが提供を希望する追加的な製品タイプはないか、ユーザーに質問しうる。調査では、従業員およびユーザーに実行計画の導入に関して発言する機会があり、また自分たちが実行計画の一部分であるという感覚を持たせることができる。また調査では、自宅以外の場所が、従業員またはユーザーの実行計画のコンプライアンスの度合を計ることができるようになる。
【００５５】
従業員またはユーザーの関与を促進するための１つの非常に効果的な方法は、自宅以外の場所内の異なる領域間でのコンテストを行うことである。コンテストの勝者には、賞が与えられるか、または単に最高の衛生領域として認識することができる。賞が授与されることで、実行計画に準拠する追加的なインセンティブがある。異なる領域は、自宅以外の場所内の異なる作業グループであったり、または自宅以外の場所の異なる階または異なるビルでありうる。学校または教室の場合、異なる領域は各教室であったり、または学校内の各学年でありうる。小さめのグループがまとまって、一つの領域を作ることもできる。回答のあった調査のパーセント値で判定したコンプライアンスまたは肯定的な結果の領域について賞を授与することもでき、これには、最も清潔であると判定された領域、実行計画に準拠する従業員またはユーザーのパーセント値が最も高い領域、試験プロトコルの結果に基づき衛生面で最も大きな改善が見られた領域、または実行計画に準拠する従業員またはユーザーについて最も大きな改善が見られた領域、またはその組み合わせが含まれる。これらの賞のカテゴリーは、模範的であって限定するものではないことが意図される。一般に、賞を提供することで、その領域内の従業員またはユーザーに導入に対するインセンティブが与えられ、実行計画に準拠するようになる。賞はグループ別にその領域に対して授与することも、またはその領域の個人に授与できることも意図されている。賞がその領域内の個人にのみ授与される場合、その領域内の全員が一般的に賞をもらう資格がある。一般に、ゴールは、実行計画とのコンプライアンスを推進することであるため、賞は一般に自宅以外の場所内の勝者である領域に対して授与される。調査の場合には、調査に記入して提出したすべての参加者が、個人賞をもらう資格があると考えられ、一方で領域はグループ賞をもらう資格がある。自宅以外の場所内の領域に与えられうる賞の例には、無料の食事、グループ活動またはグループにとってその他の何らかの類似した利益が含まれる。個人に授与される賞は、より個別的／個人的なもので、例えばギフトカードまたはギフト券などである。
【００５６】
実行計画の導入は、自宅以外の場所の単独責任としうる。代替的に、実行計画の導入は、実行計画の開発者または実行計画で使用される製品の提供者の単独責任としうる。本発明の別の実施形態では、実行計画の導入は、実行計画の導入の開始時に、実行計画の開発者が最初の数週間または数か月間積極的に関与し、実行計画を継続する責任が最終的に自宅以外の場所に引き継がれるといった方法で実施される。ただし、実行計画の開発者は、自宅以外の場所が実行計画の導入前の従来の行動に頼らないように、実行計画の使用の継続において自宅以外の場所を支援するために、定期的に自宅以外の場所に積極的に関与し続けうる。いったん実行計画が自宅以外の場所により導入されると、一般に、実行計画の開発者は一定期間、一般には３０、６０または９０日間、自宅以外の場所に対して全面的な支援サービスを提供する。この期間以降は、相談目的で、実行計画の開発者が一般に利用できるようになる。
【００５７】
いったん実行計画が自宅以外の場所により導入されると、一定期間の後で、本発明の方法の次の手順として、汚染物質の観点から自宅以外の場所が再評価される。自宅以外の場所を再評価するために、試験プロトコルが繰り返され、図１に示すとおり、二次データ１４０が収集される。この二次データはプロセスの次の手順として評価１５０され、自宅以外の場所内での第二のレベルの汚染を判断する。いったん収集されると、二次データは初期データと比較され、自宅以外の場所での汚染の低減において実行計画が効果的であるかどうかが判断される。正確に同じ試験プロトコルを繰り返し、データを再び収集して評価することが重要である。オプションとして、収集する二次データは、初期データを収集した場所とすべて同じ場所で収集することも、試験場所の数を統計的に有意なサンプリングに減らして効率を改善することもできる。初期データに対する二次データの比較をもとに、本発明の方法における次の手順は、自宅以外の場所１６０にフィードバックを提供することである。フィードバックには、初期データに対する二次データの比較が含まれる。このフィードバックには、実行計画が効果的な領域と、実行計画がそれほど効果的でない、または効果のない領域が含まれうる。図２Ａおよび２Ｂに示すとおり、結果は、ビルの領域またはビルのフロアとして図式的に、細菌マップとして表示しうる。図２Ａは、初期検査に基づく汚染レベルを表す細菌マップ２００で、ラベル２０１の領域は高い汚染の領域、ラベル２０２の領域は中程度の汚染領域、およびラベル２０３の領域は低い汚染の領域である。図２Ｂは、二次検査に基づく汚染レベルを示す細菌マップ２００’を表す。ここでも、ラベル２０１の領域は高い汚染の領域、ラベル２０２の領域は中程度の汚染領域、およびラベル２０３の領域は低い汚染の領域である。細菌マップは、本発明の方法の使用に基づく汚染の変化を、自宅以外の場所に明示することができる。図２Ａおよび図２Ｂに示すとおり、ビルのフロアの異なる部分を示す。細菌マップは、半共有領域を、または共用領域を個人別に表示するために使用しうることが注目される。自宅以外の場所のどこが実行計画の方法に従っているか、また実行計画に従っていない可能性のある場所を示すことができる。図２Ａおよび２Ｂに示すものなどの細菌マップを、収集した二次データのそれぞれのセットについて時間経過とともに示し、自宅以外の場所における衛生の改善について進捗状態を追跡することができる。その結果、フィードバックには、汚染レベルを全体的に改善するための自宅以外の場所についての焦点領域が含まれうる。
【００５８】
自宅以外の場所内の領域での汚染に関連した改善がみられなかった場合、実行計画は、その有効性について再評価する必要がありうる。また、二次データが汚染の改善を示していない場合、それは、自宅以外の場所が実行計画にっていないことを示唆することがあり、さらなる支援またはさらなる教育が自宅以外の場所に提供する必要がある可能性があり、これはフィードバックに含められる。
【００５９】
二次データの収集に加えて、実行計画で提案されている製品の調査または使用率も評価されうる。製品の利用度が低い、および／または汚染レベルの改善がわずかから全くない場合は、実行計画へのユーザー参加が低いことを示し得る。この場合には、自宅以外の場所における全体的衛生を改善するために自宅以外の場所内にいる人々にさらなる教育またはその他の動機付け手段を提供する必要がある可能性がある。自宅以外の場所において現在使用されている動機付け手段を、上記のその他のものに変更することが必要でありうる。
【００６０】
本発明のさらなる態様として、追加的なデータセットを定期的に収集して、以前のデータセットまたはそれ以前に収集したすべてのデータと比較しうる。試験プロトコルを使用した追加的な評価は、自宅以外の場所が実行計画を導入する前の方法に逆行することを阻止するための効果的な方法である。将来的な検査が定期的に実施されるべきであり、それは、初期検査と同様に広範囲にわたるものとする、統計的に有意なサンプリングに減少させる、あるいは初期検査または二次データ収集のいずれかによってホットスポットであると示されたポイントのみに限定することもできる。
【００６１】
実行計画の主な目的は、自宅以外の場所での衛生を改善し、また自宅以外の場所内での病気の潜在的な蔓延を潜在的に低減するような方法で、自宅以外の場所にいる人の間で挙動の変化を推進することである。インセンティブを提供したり、自宅以外の場所の従業員またはユーザーを関与させることで、挙動の変化がプラスの形で推進される。自宅以外の場所での従業員またはユーザーの効果的な動機付けは、実行計画を取り入れた人と、そうでない人との間のギャップを狭める傾向がある。効果的な動機付け手段の１つの例は、実行計画に取り組んできた人に正の強化を提供することで、実行計画に取り組んでこなかった人に取り組むインセンティブが提供することである。本発明の発明者は、下記に考察するとおり、比較研究において自宅以外の場所での計画外欠勤に関してプラスの結果が見られることを確認してきた。その結果、本発明の方法は、自宅以外の場所が事業である場合に、自宅以外の場所にいる人だけでなく、雇用主にとっても利益を提供する。学校などの学習の場である場合、学生が自宅以外の場所にいる間に汚染物質に暴露される可能性が低くなりうるため、学生の長期欠席が減少しうる。
【００６２】
上記の考察のとおり、それぞれの場所について収集されたデータは、データベースに格納されうる。いくつかの異なる場所について収集プロセスを繰り返すことで、結果的に迅速にアクセスできるデータベースが得られ、実行計画を推奨する目的で情報を取り出すことができる。上述したものを含めたすべての情報が保存される。さらに、二次データも保存される。データベースは、任意の従業員またはユーザーの関与手段を含めて、実行計画を追跡しうる。データを保存する目的は、類似した数の従業員またはユーザーおよび類似した施設を有する、類似した状況にある自宅以外の場所を後で追跡するためである。初期検査および二次検査から収集されたデータのデータベースを使用することで、データベースは、本発明のさらなるプロセス内で使用できる。
【００６３】
本発明のこの実施形態で、本発明の別の実施形態では、自宅以外の場所で衛生を促進する方法が提供されている。方法についてより良い理解を得るために、図３を参照する。
この実施形態の方法３００は、以下の手順を持つ。
ａ．自宅以外の場所３１０の初期調査を実施する手順
ｂ．調査の結果をデータベース３２５に格納されたデータ３２０と比較する手順
ｃ．データベースに保存された以前の実行計画に基づき、自宅以外の場所についての焦点領域に対処する実行計画３３０を開発する手順
ｄ．自宅以外の場所での実行計画３４０を導入して、実行計画のコンプライアンスを推進する手順
【００６４】
初期調査は、本発明のその他の態様での初期調査と類似したものとしうる。ただし、発明のこの態様での初期調査は、自宅以外の場所を定期的に使用している人の数の判断、自宅以外の場所のタイプの判断、作業取り決めのタイプの判断、および焦点領域を識別して自宅以外の場所内の衛生を促進するための、類似した情報を持つ共通して使用される品目のタイプに限定されうる。この情報は、データベース内に格納されたデータと比較して、類似した境遇にある自宅以外の場所が既に検査済みであるかどうかを判断するために使用される。本発明のこの態様は、本発明の第一の態様で実施したように、全面的な初期調査を実施するコストを回避するために使用しうる。得られた結果に基づき、データベースからの情報は、類似した状況にある自宅以外の場所にとって何が効果的であったかに基づき、実行計画を推奨するために使用できる。データベースは、本発明の方法の適応を試みる新しい自宅以外の場所に類似した所定の自宅以外の場所について功を奏した実行計画のタイプを追跡するために使用しうる。さらに、データベースは、実行計画が一般に最初の試みで功を奏するように、類似した状況にある自宅以外の場所で功を奏しなかった実行計画のタイプを追跡するために使用しうる。データベースは、自宅以外の場所での衛生の提供という点で迅速に成功を収めるために迅速に対処できる、自宅以外の場所内のホットスポットを迅速に特定するためにも使用しうる。本発明のこの態様は、より費用効果が高いが、実行計画は類似した状況にある自宅以外の場所に基づくものである。その結果、実行計画は以前の行動計画に基づいた、半ば特注の実行計画である。
【００６５】
いくつかのテストパイロットが、１１月１日から４月３０日にわたる冬季の風邪およびインフルエンザの季節中、法律事務所、顧客サービス施設、および会社オフィスおよび中間製品製造場所を含む異なるオフィスビルで実施された。これらそれぞれの場所で、ホットスポットおよび関心領域を特定するために初期検査が実施された。ホットスポットおよび関心領域には、ドアハンドル、休憩室内の食品準備エリア、コピー機およびキーボードが含まれる。以下の製品がそれぞれの場所には、アルコールハンドサニタイザー、湿性の抗菌ワイプ、組織および教材が供給された。初期検査の後、教材に加えて製品の使用方法に対する説明が提供された。毎週一回、ＡＴＰ（アデノシン三リン酸）検査が実施され、その結果が収集され、表が作成された。それぞれの場所の個人が調査に答え、各製品についてフィードバックを提供するよう求められた。さらに、態度、製品の使用度および病気の減少に関する毎週１回の調査が行われた。テストパイロットの結果から、検査した表面でのＡＴＰの着実な減少があったことが示された。パイロット研究では、パイロットの場所の従業員９５．４％が積極的に参加した（すなわち、製品を使用した、挑戦を実施した、一部またはすべての調査を完了した）ことが示された。調査した参加者のうち７７．８％が、職場で獲得する病気について提供された製品および教材が自分達の健康の向上に役立ったと考えている。パイロットの参加者の９１．２％が、パイロットの終了時にその職場でパイロットを継続することを希望した。
【００６６】
あるパイロットプログラムでは、会社オフィスが２つのビルに分散されていた。一つのビルはパイロットで使用され、もう一つのビルは対照として使用された。それぞれのオフィスビルで計画外欠勤について追跡がなされ、結果が例１に報告されている。
【実施例１】
【００６７】
研究が、あるオフィスコンプレックス内の２つの別個のオフィスビルに位置する事業所で実施された。第一のビルは、アルコールベースのハンドサニタイザー、湿性の消毒用表面ワイプ、Ｋｌｅｅｎｅｘブランドのティッシュペーパーを含む製品バンドルが提供され、オフィスビルの一つ内に戦略的に配置された。第一のビルの占拠者には、これらのそれぞれの製品の使用、およびこれらの製品がどのようにビル内のオフィスの衛生を向上しうるかに関する教育を行った。第二のオフィスビルには、製品または製品の使用方法についての教育は供給されなかった。計画外欠勤が、１７週間にわたり記録された。計画外欠勤とは、従業員が前もって計画せずに休暇を取ったために出勤しなかった計画外欠勤のみであることが注記される。これには、病気とは無関係の欠勤も含まれている可能性があることが注記される。ただし、病気以外の計画外欠勤は、所定の期間にわたり各ビルについてほぼ同じであると想定される。１７週間にわたり、パイロットオフィスビルでは、平均計画外欠勤率が２．０％であり、これに対して対照のビルでは、平均計画外欠勤率が３．２％であったことが報告された。各オフィスビルの結果を表１に示す。これらの結果は、製品およびこれらの製品の使用方法に関する教材を供給することで、潜在的に計画外欠勤率が減少しうることを示す傾向にある。
【表１】
2014531624.tif 000003
【実施例２】
【００６８】
本発明の発明者は、アリゾナ大学のＤｒ．Ｇｅｒｂａと協力して、オフィス環境における汚染の低減について、ハンドサニタイザー、表面消毒ワイプ、およびティッシュペーパーの組み合わせの使用の有効性に関する研究を実施した。ハンドサニタイザー、表面消毒ワイプおよびティッシュペーパーを供給することで、オフィス環境に植え付けられたウイルスの活発な場所が減少することが示された。試験の手続きでは、ウイルスがオフィス内のドアの取っ手に配置された。検査は、ハンドサニタイザー、表面消毒ワイプおよびティッシュペーパーを使用した場合と、使用しなかった場合について実施された。植え付けの４および８時間後にＡＴＰ測定がなされ、結果を表２に示す。
【表２】
2014531624.tif 000004
【００６９】
表２で確認できるとおり、ハンドサニタイザー、表面消毒ワイプおよびティッシュペーパーを含む実行計画は、自宅以外の場所でのウイルスの存在を効果的に減少させた。
【００７０】
本発明は様々な実施形態を参照しながら説明してきたが、当業者であれば、この発明の精神および範囲から逸脱することなく形態および詳細に変化を加えうることが認識される。そのため、上述の詳細な説明は、限定的であるよりは例証的であるとみなされることが意図され、発明の範囲を定義するのはそのすべての相当物を含めて添付した請求の範囲である。
【図１】
2014531624.tif 000005
【図２Ａ】
2014531624.tif 000006
【図２Ｂ】
2014531624.tif 000007
【図３】
2014531624.tif 000008
【国際調査報告】
2014531624.tif 000009
2014531624.tif 000010